(57)【要約】【課題】運転効率が良く、且つ省エネ性の高い空気調和機を提供すること。【解決手段】独立した２つの冷凍サイクルを有するマルチタイプの空気調和機において、前記各々の冷凍サイクルの冷媒が流れるパス１２ｍを複数有する室外熱交換器１２を備え、異なる冷凍サイクルの前記パス１２ｍを、前記室外熱交換器１２の帯状のフィン１２ｋの長さ方向に交互に配置したもので、１サイクル運転の際に室外熱交換器１２全体を有効に使えるため、必要な風量が少なくなり、ファン動力が減少しシステム効率が良くなり、したがって省エネ性を向上することができる。【選択図】図１
2006153333.tif 000002
【特許請求の範囲】
【請求項１】
独立した２つの冷凍サイクルを有するマルチタイプの空気調和機において、各々の冷凍サイクルの冷媒が流れるパスを複数有する室外熱交換器を備え、異なる冷凍サイクルの前記パスを、前記室外熱交換器の帯状のフィンの長さ方向に交互に配置した空気調和機。
【請求項２】
室外熱交換器に、複数のパスを空気の略流れ方向に２列にして配し、風上の列と風下の列に異なる冷凍サイクルの前記パスを配置した請求項１に記載の空気調和機。
【請求項３】
室外熱交換器において、コンデンサー時の冷媒の入口を風下の列に配置し、その略風上の位置に異なる冷凍サイクルのコンデンサー時の前記冷媒の合流直前の伝熱管を配置した請求項２に記載の空気調和機。
【請求項４】
室外熱交換器において、コンデンサー時の冷媒の入口側の伝熱管を風下の列に配置し、その略風上の位置に異なる冷凍サイクルのコンデンサー時の前記冷媒の出口を配置した請求項２又は３に記載の空気調和機。
【発明の詳細な説明】
【技術分野】
【０００１】
本発明は、空気調和機に関するもので、特に、独立した複数の冷凍サイクルを有するマルチタイプの空気調和機に関するものである。
【背景技術】
【０００２】
従来、この種の空気調和機は、夫々の冷凍サイクルの室外熱交換器の冷媒の熱交換器領域が、独立的に分離されている（例えば、特許文献１参照）。
【０００３】
図２は、上記特許文献１に記載された従来の空気調和機の冷媒回路図を示すもので、同図に示すように、第１熱交換器部１と第２熱交換器部２とからなる室外熱交換器３と、第１圧縮機４と、第２圧縮機５と、第１絞り部６と、第２絞り部７と、第１四方弁８と、第２四方弁９と、第１室内熱交換器１０と第２室内熱交換器１１から構成されている。
【特許文献１】特開２０００−３９２２３号公報
【発明の開示】
【発明が解決しようとする課題】
【０００４】
しかしながら、前記従来の空気調和機の構成では、室外熱交換器３を内蔵する室外機に１つのファンを設けた場合、１サイクル運転の際も、２サイクル運転時とほぼ同じ風量を必要とするので、無駄なファン動力が発生し効率が悪いという課題を有していた。
【０００５】
本発明は、前記従来の課題を解決するもので、運転効率が良く省エネ性の高い空気調和機を提供することを目的とする。
【課題を解決するための手段】
【０００６】
前記従来の課題を解決するために、本発明の空気調和機は、独立した２つの冷凍サイクルを有するマルチタイプの空気調和機において、各々の冷凍サイクルの冷媒が流れるパスを複数有する室外熱交換器を備え、異なる冷凍サイクルの前記パスを、前記室外熱交換器の帯状のフィンの長さ方向に交互に配置したもので、１冷凍サイクルでの運転の際にも熱交換器全体を有効に使えるため、必要な風量が少なくなり、ファン動力が減少しシステム効率が良くなる。
【発明の効果】
【０００７】
本発明の空気調和機は、効率が良くし、省エネ性の向上することができる。
【発明を実施するための最良の形態】
【０００８】
第１の発明は、独立した２つの冷凍サイクルを有するマルチタイプの空気調和機において、各々の冷凍サイクルの冷媒が流れるパスを複数有する室外熱交換器を備え、異なる冷凍サイクルの前記パスを、前記室外熱交換器の帯状のフィンの長さ方向に交互に配置したもので、１冷凍サイクルでの運転の際にも熱交換器全体を有効に使えるため、必要な風量が少なくなり、ファン動力が減少しシステム効率が良くなる。
【０００９】
第２の発明は、特に、第１の発明の室外熱交換器に、複数のパスを空気の略流れ方向に２列にして配し、風上の列と風下の列に異なる冷凍サイクルの前記パスを配置したもので、１冷凍サイクルでの運転の際に、風下の列が風上の列の影響を受けないため、熱交換器の性能が向上し、冷凍サイクルの効率が向上する。
【００１０】
第３の発明は、特に、第２の発明の室外熱交換器において、コンデンサー時の冷媒の入口を風下の列に配置し、その略風上の位置に異なる冷凍サイクルのコンデンサー時の前記冷媒の合流直前の伝熱管を配置したもので、異なる冷凍サイクルが何れも冷房運転した際には、異なる冷凍サイクルで擬似的に対向流の形態が構成され、効率が向上することができる。
【００１１】
第４の発明は、特に、第２又は第３の発明の室外熱交換器において、コンデンサー時の冷媒の入口側の伝熱管を風下の列に配置し、その略風上の位置に異なる冷凍サイクルのコンデンサー時の前記冷媒の出口を配置したもので、コンデンサー時の冷媒の入口部の熱交換量が増加し冷凍サイクルの効率が向上する。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の冷媒回路図を示すものである。なお、上記従来例と同一部分については、同一符号を付してその説明を省略する。
【００１４】
図１において、本実施の形態における空気調和機は、独立した２つの冷凍サイクルを有し、室外熱交換器１２は、夫々の冷凍サイクルのコンデンサー時の冷媒の入口１２Ａ〜１２Ｄ、１２ａ〜１２ｄを風下の２列目に配置し、異なる冷凍サイクルのパス１２ｍが帯状のフィン１２ｋの長さ方向に交互に配置されている。
【００１５】
また、夫々上側の３つのパス１２ｍは途中で、異なる冷凍サイクルのパス１２ｍが互いに交叉し風上の１列目に流れ、風上の列と風下の列で異なる冷凍サイクルのパス１２ｍが配置されると共に、夫々異なる冷凍サイクルのコンデンサー時の冷媒の入口１２Ａ〜１２Ｄ、１２ａ〜１２ｄの略風上側の伝熱管１２ｅ〜１２ｇ、１２Ｅ〜１２Ｇを通った後合流する。その後、夫々異なる冷凍サイクルの最下段のパス１２ｍの風上部を通り、コンデンサー時の冷媒の入口１２Ｄ、１２ｄの略風上側に異なる冷凍サイクルの冷媒の出口１２ｈ、１２Ｈが配置されている。
【００１６】
以上のように構成された空気調和機について、以下その動作、作用を説明する。
【００１７】
まず、１つの冷凍サイクルのみが運転した場合、異なる冷凍サイクルのパス１２ｍが交互に配置されているため、停止中の冷凍サイクルのパス１２ｍのフィン１２ｋも熱交換に有効に使用されることとなる。これにより必要な風量が少なくなり、ファン動力が減少し効率を向上することができる。
【００１８】
また風上の列と風下の列で異なる冷凍サイクルの伝熱管が配置されるため、２列目のパス１２ｍが１列目のパス１２ｍの影響を受けにくくなり、熱交換量が増加する。これにより必要な風量がさらに少なくなり、より効率を向上することができる。
【００１９】
更に、２つの冷凍サイクル共に冷房運転した場合には、夫々上側の３つのパス１２ｍは途中で異なる冷凍サイクルのパス１２ｍが互いに交叉し風上側の１列目に流れ、夫々異なる冷凍サイクルの冷媒の入口１２Ａ〜１２Ｃ、１２ａ〜１２ｃの略風上側の伝熱管１２ｅ〜１２ｇ、１２Ｅ〜１２Ｇを通った後合流するため、２つのサイクルで擬似的に対向流の形態をなすため、冷凍サイクルの効率が向上する。
【００２０】
また、最下段のパス１２ｍにおいても、コンデンサー時の冷媒の入口１２Ｄ、１２ｄの略風上側に異なる冷凍サイクルの冷媒の出口１２ｈ、１２Ｈのサブクール部が配置されるため、コンデンサーの冷媒の入口部での熱交換量が増加し冷凍サイクルの効率が向上する。
【００２１】
以上のように、本実施の形態においては、夫々の冷凍サイクルの室外側の熱交換器が、複数のパス１２ｍを有し、異なる冷凍サイクルのパス１２ｍが帯状のフィン１２ｋの長さ方向に交互に配置された室外熱交換器１２から形成されているので、１冷凍サイクルでの運転の際に必要な風量が少なくなり、ファン動力が減少し効率を向上させることができる。
【００２２】
また、室外熱交換器１２が、空気の略流れ方向にパス１２ｍを２列形成し、風上の列と風下の列で異なる冷凍サイクルの伝熱管が配置されたことにより、１サイクル運転の際に必要な風量がさらに少なくなり、より効率を向上させることができる。
【００２３】
また、室外熱交換器１２において、コンデンサー時の冷媒の入口１２Ａ〜１２Ｃ、１２ａ〜１２ｃが風下の列に配置され、その略風上の位置に異なる冷凍サイクルのコンデンサー時の合流直前の伝熱管１２ｅ〜１２ｇ、１２Ｅ〜１２Ｇが配置されたことにより、異なるサイクルが何れも冷房運転した際には、異なるサイクルで擬似的に対向流の形態が構成され、効率を向上させることができる。
【００２４】
さらに、室外熱交換器１２が、コンデンサー時の冷媒の入口１２Ｄ、１２ｄが風下の列に配置され、その略風上の位置に異なる冷凍サイクルのコンデンサー時の冷媒の出口１２ｈ、１２Ｈが配置されたことにより、コンデンサー時の冷媒の入口部の熱交換量が増加し冷凍サイクルの効率が向上する。
【産業上の利用可能性】
【００２５】
以上のように、本発明にかかる空気調和機は、システム効率が向上するので、冷凍機、ショーケース等にも適用できる。
【図面の簡単な説明】
【００２６】
【図１】本発明の実施の形態１における空気調和機の冷媒回路図
【図２】従来の空気調和機の冷媒回路図
【符号の説明】
【００２７】
４  第１圧縮機
５  第２圧縮機
９  第２四方弁
１０  第１室内熱交換器
１１  第２室内熱交換器
１２  室外熱交換器
１２Ａ〜１２Ｄ、１２ａ〜１２ｄ  入口
１２Ｅ〜１２Ｇ、１２ｅ〜１２ｇ  伝熱管
１２Ｈ、１２ｈ  出口
１２ｋ  フィン
１２ｍ  パス
【図１】
2006153333.tif 000003
【図２】
2006153333.tif 000004